(57)【要約】【課題】複合筆記具用の固形芯繰出体を細径に構成できるとともに、ガイド筒９内で固形芯１０が折れた場合でも、固形芯１０をガイド筒９により確実に保持する複合筆記具用の固形芯繰出体に適用できる。【解決手段】チャック１とチャック１を長手方向後方に付勢するスプリング５とを有するチャックユニットにガイド筒９を連結する。このガイド筒９内に固形芯１０を内蔵し、チャック１の前進動作により押棒８を繰り出す。この押棒８の前進とともに固形芯１０を繰り出す固形芯繰出体であって、ガイド筒９の前部に固形芯１０を適度の力で保持する係合部９Ｂを形成するとともに、押棒８の前端に前膨出部８Ａを形成する。【選択図】図１
2013052520.tif 000002
【特許請求の範囲】
【請求項１】
チャックとチャックを長手方向後方に付勢するスプリングとを有するチャックユニットにガイド筒を連結し、このガイド筒内に固形芯を内蔵し、チャックの前進動作により押棒を繰り出し、この押棒の前進とともに固形芯を繰り出す固形芯繰出体であって、ガイド筒の前部に固形芯を適度の力で保持する係合部を形成するとともに、押棒の前端に前膨出部を形成したことを特徴とする複合筆記具用の固形芯繰出体。
【請求項２】
ガイド筒の前部に長手方向に伸びた切溝を並列に形成し、この切溝により構成された弾性部を内方に変形させて係合部を形成したことを特徴とする請求項１記載の複合筆記具用の固形芯繰出体。
【発明の詳細な説明】
【技術分野】
【０００１】
本発明は、チャックにより繰り出される押棒で固形芯を繰り出す複合筆記具用の固形芯繰出体に関する。
【背景技術】
【０００２】
従来、チャックの前進動作によって送出される細棒の先端に棒状物を取り付け、この棒状物をチャックの前進動作によって案内筒内を前進させる棒状物繰り出し装置が知られている。（特許文献１参照）
【０００３】
しかしながら、上記棒状物繰り出し装置は、棒状物を固形芯にした場合には、固形芯が細棒４６から抜けたり、あるいは固形芯が折れたりすると、固形芯が案内筒部５０から外れて落下してしまうものであった。
【先行技術文献】
【特許文献】
【０００４】
【特許文献１】特開平１０−２２６１９３号公報
【発明の概要】
【発明が解決しようとする課題】
【０００５】
解決しようとする問題点は、ガイド筒内で固形芯が折れた場合に、固形芯がガイド筒から外れて落下してしまう点である。
【課題を解決するための手段】
【０００６】
本発明は、チャックとチャックを長手方向後方に付勢するスプリングとを有するチャックユニットにガイド筒を連結し、このガイド筒内に固形芯を内蔵し、チャックの前進動作により押棒を繰り出し、この押棒の前進とともに固形芯を繰り出す固形芯繰出体であって、ガイド筒の前部に固形芯を適度の力で保持する係合部を形成するとともに、押棒の前端に前棒出部を形成したことを最も主要な特徴とする。
【発明の効果】
【０００７】
本発明は、チャックの前進動作によって押棒を繰り出し、この押棒とともに固形芯を繰り出す複合筆記具用の固形芯繰出体において、固形芯が折れた場合でもガイド筒から固形芯が外れる恐れがないという利点が得られるものである。
【図面の簡単な説明】
【０００８】
【図１】図１は、本発明の実施例１の複合筆記具用の固形芯繰出体を示す拡大部分断面図である。（実施例１）
【図２】図２は、本発明の実施例１の複合筆記具用の固形芯繰出体を示す主要部拡大平面図である。（実施例１）
【図３】図３は、本発明の実施例１の複合筆記具用の固形芯繰出体を複合筆記具に収納した状態を示す部分断面図である。（実施例１）
【図４】図４は、本発明の実施例２の複合筆記具用の固形芯繰出体を示す拡大部分断面図である。（実施例２）
【発明を実施するための形態】
【０００９】
チャックの前進動作によって押棒を繰り出し、この押棒とともにガイド筒内を繰り出される固形芯が折れてしまった場合でも、ガイド筒より固形芯が外れて落下してしまう恐れがない複合筆記具用の固形芯繰出体を実現した。
【実施例１】
【００１０】
以下、図１及び図２に基づいて本発明における実施例１の複合筆記具用の固形芯繰出体を説明する。尚、図１の左側を前方とし、右側を後方とする。先ず、チャック１の頭部１Ａを複数に分割し、このチャック１の頭部１Ａに締具２を外嵌する。更に、締具２を受け止める外筒３の内段３Ａとチャック１の後部に連結されたノック筒４の前端との間に取付時荷重３００ｇ〜８００ｇ程度でスプリング５を取り付けチャックユニットを構成する。前記スプリング５によりチャック１を長手方向後方に付勢し、チャック１の頭部１Ａを締具２に押圧する。すると、締具２が外筒３の前端に当接し、チャック１が閉じられる。前記外筒３の前部に先部材６を着脱可能に螺合し、先部材６の係止段６Ａと外筒３の前端との間を締具２が摺動可能に構成する。前記先部材６にはゴム製のホルダー７が内蔵される。
【００１１】
前記ホルダー７及びチャック１内に合成樹脂製の棒状体からなる押棒８を挿入し、押棒８をホルダー７で適度の力で保持するとともにチャック１で押棒８を強く保持する。このホルダー７及びチャック１に挿入された合成樹脂製の押棒８の前端に熱を加えて大型の外鍔状に変形させ前膨出部８Ａを形成する。また、押棒８の後端に熱を加えて小型の外鍔状に変形させ後膨出部８Ｂを形成する。更に、金属パイプからなるガイド筒９の前部に長手方向に伸びた切溝９Ａを並列に形成し、この切溝９Ａにより構成された弾性部を内方に変形させて係合部９Ｂを形成する。このガイド筒９の後部を前記先部材６の前部に圧入固着し、固形芯繰出体を構成する。
【００１２】
次に、ノック筒４を前方に押圧してチャック１を拡開した状態で、前記ガイド筒９に固形芯１０を挿入し、ガイド筒９の係合部９Ｂで固形芯１０を適度の力で保持するとともに、固形芯１０の後端を押棒８の前膨出部８Ａに当接し、固形芯１０を十分に挿入した状態でノック筒４の押圧を解除し、固形芯繰出体に固形芯１０を収納する。この固形芯１０は、直径２．４ｍｍ程度の棒状体で、消しゴムで消去可能な焼成した鉛筆芯や、無焼成の色鉛筆芯等が考えられる。
【００１３】
この固形芯繰出体は、並列した切溝９Ａにより弾性部を形成し、この弾性部を内方に変形させて係合部９Ｂを形成するので、ガイド筒９が太くならず細径の固形芯繰出体が構成できる利点が得られるものである。また、押棒８の後端に後膨出部８Ｂが形成されているので、誤って押棒８を前方に引っ張っても押棒８が外れてしまう恐れがない。
【００１４】
更に、この固形芯繰出体には、ノック筒４の細径の後部４Ａに合成樹脂製のパイプ部材１１を圧入固着して取り付ける。このパイプ部材１１の後部を操作部材１２の前端に形成された接続部１２Ａに圧入固着する。この操作部材１２は、後端側に形成されかつ外方に突出する操作部１２Ｂと、操作部１２Ｂの反対側に設けられる前側突出部１２Ｃと、前側突出部１２Ｃの後方に設けられる後側突出部１２Ｄと、接続部１２Ａのやや後方に形成される鍔部１２Ｅとを備える。
【００１５】
前記固形芯繰出体は、従来から実施されている種々の複合筆記具に利用可能であるが、例えば、操作部材を接続した２種類の筆記体を任意に選択して後方から軸筒１３内に複数収納して使用する複合筆記具に利用可能である。この複合筆記具は、軸筒１３内に色の異なるボールペン体１４を２本収納して使用することもできるが、図３に示したように１本はボールペン体１４を収納し、別の１本を本発明の固形芯繰出体を選択して使用することができる。更に詳しく説明すると、先ず、蓋体１５が軸筒１３の後端の開口部を閉鎖した状態から、係合を解除して蓋体１５を開き軸筒１３の後端の開口部を開口する。その後、互いに接続されたボールペン体１４と操作部材１６を開口部を通して軸筒１３内に挿入する。更に、ボールペン体１４はコイルスプリング１７及びスプリング支持部材１８の内孔１８Ａを挿通して前後方向に移動可能に収納される。また、操作部材１６の操作部１６Ａは軸筒１３の側壁に前後方向に伸びる窓孔１３Ａより突出する。そして、コイルスプリング１７はスプリング支持部材１８と操作部材１６の鍔部１６Ｂにより圧縮される。このコイルスプリング１７により後方に付勢された操作部材１６は後端が蓋体１５に当接して停止する。同様に、パイプ部材１１を介して操作部材１２に接続された固形芯繰出体もコイルスプリング１７及びスプリング支持部材１８の内孔１８Ａを挿通して前後方向に移動可能に収納される。そして、コイルスプリング１７により後方に付勢された操作部材１２の後端が蓋体１５に当接して停止する。また、操作部材１２の操作部１２Ｂが軸筒１３の側壁に延びる窓孔１３Ａより突出する。
【００１６】
そして、固形芯１０で筆記を行う場合には、固形芯繰出体に接続された操作部材１２の操作部１２Ｂを窓孔１３Ａに沿って前方にスライドさせることにより、固形芯１０が軸筒１３の前端孔１３Ｂから突出するとともに、操作部材１２の後端係止部が軸筒１３の内壁に形成された係止壁部に係止され、固形芯１０が突出した状態に維持される。
【００１７】
この状態で固形芯１０を繰り出す場合には、操作部材１２の操作部１２Ｂを前方に押圧すると、ガイド筒９の前端が軸筒１３の前端部内壁１３Ｃに当接する。更に、操作部材１２を前進させるとガイド筒９に対してチャック１が前進する。すると、締具２により閉じられたチャック１は押棒８を保持して前進する。押棒８が前進すると、押棒８に押された固形芯１０がガイド筒９の係合部９Ｂと摩擦接触しながら前進する。そして、締具２が先部材６の係止段６Ａに当接すると、チャック１から締具２が外れて押棒８を解放し、一定量固形芯１０が繰り出される。尚、押棒８の後端に後膨出部８Ｂが形成されているので、必要以上に操作部材１２の押圧を繰り返して押棒８を繰り出しても、押棒８の後膨出部８Ｂがノック筒４の内段４Ｂに当接するので、押棒８が外れてしまう恐れはない。また、押棒８の前端に大型の前膨出部８Ａを形成することにより、押棒８で固形芯１０を確実に押すことができ、固形芯１０の後端を削ったり破損させてしまう恐れはない。
【００１８】
また、固形芯１０を没入させる場合には、ボールペン体１４に接続された操作部材１６を押圧すれば、ボールペン体１４側の操作部材１６の前側突出部１６Ｃが固形芯繰出体に接続された操作部材１２の後側突出部１２Ｄに当接して固形芯繰出体に接続された操作部材１２を外方に押し上げ、軸筒１３の係止壁部から操作部材１２の後端係止部が外れ固形芯繰出体が後退して固形芯１０が没入する。また、同様にしてボールペン体１４を突出したり没入することができる。
【００１９】
この筆記体を任意に選択し後方から軸筒１３内に挿入して使用する複合筆記具の場合には、ガイド筒９、先部材６、外筒３、ノック筒４及びパイプ部材１１の最大外径をコイルスプリング１７の内径及びスプリング支持部材１８の内孔１８Ａより細く形成する。
【実施例２】
【００２０】
以下、図４に基づいて本発明における実施例２の複合筆記具用の固形芯繰出体を説明する。尚、図１と同一部材は同一の符号を付してその説明を省略する。押棒１０８をホルダー７及びチャック１に挿入する前に、押棒１０８の前端に熱を加えて大型の外鍔状に変形させ前膨出部１０８Ａを形成する。この押棒１０８をホルダー７及びチャック１内に前方から挿入する。
【００２１】
次に、ノック筒４を前方に押圧してチャック１を拡開した状態で、ガイド筒９に固形芯１０を挿入し、ガイド筒９の係合部９Ｂで固形芯１０を適度の力で保持するとともに、固形芯１０の後端を押棒１０８の前膨出部１０８Ａに当接し、固形芯１０を十分に挿入した状態でノック筒４の押圧を解除し、固形芯繰出体に固形芯１０を収納する。この固形芯繰出体も、従来から実施されている種々の複合筆記具に利用可能である。
【００２２】
尚、本発明は上記実施例に限定されるものではなく、ノック筒、外筒、先部材といった部材は複数の部材を固着して一体化し構成しても良い。また、先部材の一部に弾性片を形成してホルダーとしても良い。更に、押棒に形成される前膨出部や後膨出部は必ずしも一体で形成する必要はなく、別部品を圧入や接着により固着して形成することも考えられる。
【産業上の利用可能性】
【００２３】
複合筆記具用の固形芯繰出体を細径に構成できるとともに、ガイド筒内で固形芯が折れた場合でも、固形芯をガイド筒により確実に保持する複合筆記具用の固形芯繰出体に適用できる。
【符号の説明】
【００２４】
１    チャック
５    スプリング
８    押棒
８Ａ    押棒８の前膨出部
９    ガイド筒
９Ａ    ガイド筒９の切溝
９Ｂ    ガイド筒９の係合部
１０    固形芯
１０８    押棒
１０８Ａ    押棒１０８の前膨出部
【図１】
2013052520.tif 000003
【図２】
2013052520.tif 000004
【図３】
2013052520.tif 000005
【図４】
2013052520.tif 000006